(57)【要約】      （修正有）【課題】正極・負極の材質と水及び炭素物質との化学反応によって生成される電力の供給量を向上させることができる交互堆積式水電池を提供する。【解決手段】交互堆積式水電池１は、正極素子１０、負極素子１２、炭素物質１６及びハウジング１８を含む。炭素物質は、正極素子と負極素子との接触を阻止するように正極素子と負極素子との間に充填される。正極素子、負極素子及び炭素物質はハウジング内に封入され、水１４がハウジング内に注入される。これにより、ハウジング内の水、炭素物質と正極素子、負極素子との化学反応によって、電力が生成される。また正極素子、負極素子は幾層にも交互に堆積して配列される。これにより、水電池によって生成される電力量は正極素子、負極素子が配列される層の数の増加に正比例して増加する。【選択図】図１
0003189738.tif 000002
【実用新案登録請求の範囲】
【請求項１】
交互堆積式水電池において、
複数の正極素子と、
それぞれ各前記複数の正極素子と交互に堆積して配列される複数の負極素子と、
前記複数の正極素子が前記複数の負極素子に接触するのを阻止するように各前記正極素子と各前記負極素子との間に充填される炭素物質と、
前記複数の正極素子、前記複数の負極素子及び前記炭素物質が封入されるのに用いられると共に、水が内部に注入されるハウジングと、
前記複数の正極素子の一端のいずれもが接続される正極接続部材と、
前記複数の負極素子の一端のいずれもが接続される負極接続部材と、
を含み、
前記交互堆積式水電池によって生成される電流量は、前記複数の正極素子及び前記複数の負極素子が交互に堆積して配列される数に正比例する
ことを特徴とする交互堆積式水電池。
【請求項２】
前記複数の正極素子と前記正極接続部材とは一体成形であり、
前記複数の負極素子と前記負極接続部材とは一体成形であり、
前記正極接続部材の一端と前記負極接続部材の一端とはそれぞれ前記ハウジングから延伸される
ことを特徴とする請求項１に記載の交互堆積式水電池。
【請求項３】
前記ハウジングは、
開口端を備える下ベースと、
前記下ベースの前記開口端内に設けられる上蓋と、
前記開口端と前記上蓋との間の間隙を封鎖すると共に、前記上蓋が前記下ベースに接触するのを阻止するシーリングリングと、
水を前記ハウジング内に補充するための水供給蓋と、
を含み、
前記負極接続部材と前記上蓋とは一体成形であり、
前記正極接続部材と前記下ベースとは一体成形である
ことを特徴とする請求項１に記載の交互堆積式水電池。
【請求項４】
前記炭素物質は板状物質又は顆粒状物質の活性炭、木炭又は竹炭である
ことを特徴とする請求項１に記載の交互堆積式水電池。
【請求項５】
前記複数の負極素子の材質は純アルミニウム、金属マグネシウム又はマグネシウム合金であり、
前記複数の正極素子の材質は銀メッキ銅、白銀メッキ銅、白銅、白銑、鋼、白金又は純銅であり、
前記マグネシウム合金はアルミニウムマグネシウム合金、マンガンマグネシウム合金又は亜鉛マグネシウム合金である
ことを特徴とする請求項１に記載の交互堆積式水電池。
【請求項６】
前記複数の正極素子は傘状に前記正極接続部材に接続され、
前記負極接続部材は、リング状に前記複数の負極素子に接続されると共に、前記複数の負極素子と前記複数の正極素子を囲繞する
ことを特徴とする請求項１に記載の交互堆積式水電池。
【請求項７】
各前記正極素子は複数の正極分岐片を含み、
各前記負極素子は複数の負極分岐片を含み、
各前記複数の負極分岐片はそれぞれ各前記複数の正極分岐片と交互に堆積して配列され、
前記炭素物質は、前記複数の正極分岐片が前記複数の負極分岐片に接触するのを阻止するように各前記正極分岐片と各前記負極分岐片との間に充填される
ことを特徴とする請求項６に記載の交互堆積式水電池。
【請求項８】
交互堆積式水電池において、
正極素子と、
前記正極素子と平行に配列されて積層されると共に渦状に巻回される負極素子と、
前記正極素子が前記負極素子に接触するのを阻止するように前記正極素子と前記負極素子との間に充填される炭素物質と、
前記正極素子、前記負極素子及び前記炭素物質が封入されるのに用いられると共に、水が内部に注入されるハウジングと、
を含み、
前記交互堆積式水電池によって生成される電流量は、巻回される数に正比例する
ことを特徴とする交互堆積式水電池。
【請求項９】
前記正極素子及び前記負極素子は、それぞれ前記ハウジングの両端から延伸される
ことを特徴とする請求項８に記載の交互堆積式水電池。
【請求項１０】
前記ハウジングは角型体であり、
積層して巻回される前記正極素子及び前記負極素子は、角型にプレスされていると共に、前記ハウジング内に封入される
ことを特徴とする請求項８に記載の交互堆積式水電池。
【請求項１１】
前記ハウジングは、水を前記ハウジング内に補充するための水供給蓋を更に含む
ことを特徴とする請求項８に記載の交互堆積式水電池。
【請求項１２】
前記炭素物質は板状物質又は顆粒状物質の活性炭、木炭又は竹炭である
ことを特徴とする請求項８に記載の交互堆積式水電池。
【請求項１３】
前記負極素子の材質は純アルミニウム、金属マグネシウム又はマグネシウム合金であり、
前記正極素子の材質は銀メッキ銅、白銀メッキ銅、白銅、白銑、鋼、白金又は純銅であり、
前記マグネシウム合金はアルミニウムマグネシウム合金、マンガンマグネシウム合金又は亜鉛マグネシウム合金である
ことを特徴とする請求項８に記載の交互堆積式水電池。
【考案の詳細な説明】
【技術分野】
【０００１】
本考案は、電池に関し、特に水及び炭素物質と少なくとも１組の正極素子、負極素子とを用いて電力を生成する交互堆積式水電池（Ｗａｔｅｒ Ｂａｔｔｅｒｙ）に関する。
【背景技術】
【０００２】
近年、科学技術が高度に発展するに伴い、各種電子製品の種類及び応用が急速に増加している。電源は、各種電子製品の作動に用いられる基本要件の１つであり、電子製品全体の作動及び効率にも影響を大きな及ぼす。電池は、普遍的な電源供給素子である。
【０００３】
一般的な電池は、使い捨てと充電式の２つのタイプに分けられる。使い捨て電池は、構成上、不可逆的な化学反応を用いており、しかも電池内に収められているのは有毒な化学用品である。そのため、一般的な使い捨て電池は密閉された構成となっており、電池が切れると捨てられる。
【０００４】
有毒な化学用品を含有する電池を廃棄するには特別な処理を経なければならないため、時間と労力を費やすと共に、処理が不適切であると環境汚染の問題も生じる。そのため、現在、化学反応を起こして給電するために水や活性炭のように一般的に無害な物質を内部に用いた電池も存在する。
【考案の概要】
【考案が解決しようとする課題】
【０００５】
しかしながら、これら従来の無害物質の電池には、以下の問題があった。
第一に、一般的に無害な物質を用いることで生じた化学反応により給電する場合、その給電量は極めて微弱であり、電力量が微小な電子製品にしか適していない。
第二に、電池内の物質が化学反応を起こして完全に消耗された後、これら無害物質を補充又は交換するための簡単な方法がないため、無害物質を用いた電池が達成可能な環境保護効果を徹底的に発揮することができない。
第三に、活性炭を原料とする場合、予め一般的な炭素物質によって精錬する必要があるため、補充又は交換が必要な場合、材料の取得が面倒である。
【０００６】
従って、無害物質電池の効果をより徹底的に発揮することができ、従来の有毒物質電池に取って代わる可能性を向上させることができるように、上述した欠点を効果的に解決することが可能な電池モジュールを提供することが求められている。
【課題を解決するための手段】
【０００７】
本考案は、正極・負極の材質と水及び炭素物質との化学反応によって生成される電力の供給量を向上させることができる交互堆積式水電池を提供することを課題とする。
【０００８】
上述した課題を解決するために、本考案に係る交互堆積式水電池は、そのモジュールにおいて、複数の正極素子と、それぞれ各正極素子と交互に堆積して配列される複数の負極素子と、正極素子と負極素子との接触を阻止するように各正極素子と各負極素子との間に充填される炭素物質と、複数の正極素子、複数の負極素子及び炭素物質が内部に封入されると共に、水が内部に注入されるハウジングと、を含む。これにより、ハウジング内の水、炭素物質と正極素子、負極素子との化学反応によって電力が生成されると共に、正極素子、負極素子が堆積して配列される層の数が増加するにしたがって交互堆積式水電池の供給可能な電流量も増加する。
【０００９】
上述した課題を解決するために、本考案に係る他の交互堆積式水電池は、正極素子と、正極素子と平行に配列されると共に渦状に巻回される負極素子と、正極素子が負極素子に接触するのを阻止するように正極素子と負極素子との間に充填される炭素物質と、正極素子、負極素子及び炭素物質が内部に封入されると共に、水が内部に注入されるハウジングと、を含む。これにより、交互堆積式水電池が生成する電流量は、正極素子、負極素子が巻回される数に正比例する。
【考案の効果】
【００１０】
本考案に係る交互堆積式水電池は、以下の効果を奏する。即ち、本考案に係る交互堆積式水電池は、正極素子と負極素子とが交互に堆積して配列されているため、正極素子、負極素子が交互に堆積される層の数が多いほど、電流量が多くなり、総和して生成される電力が大きくなる。従って、本考案は、従来の単一セットの正極素子、負極素子しか備えていない電池が生成可能な電力よりも大きい電力を提供することができ、消費電力の大きな電子製品への適用に適している。
【図面の簡単な説明】
【００１１】
【図１】本考案に係る交互堆積式水電池の実施例を示すブロック図である。
【図２】本考案に係る交互堆積式水電池の実施例の磁極片の配列を示す図である。
【図３】本考案に係る交互堆積式水電池の実施例を示す断面図である（角型電池の磁極片の交互配列）。
【図４】本考案に係る交互堆積式水電池の実施例を示す断面図である(ボタン型電池)。
【図５Ａ】本考案に係る交互堆積式水電池の実施例を示す断面図である(円形電池)。
【図５Ｂ】本考案に係る交互堆積式水電池の実施例を示す上面図である(円形電池)。
【図６】本考案に係る交互堆積式水電池の実施例を示す断面図である(角型電池の磁極片の巻回し)。
【図７】本考案に係る交互堆積式水電池の実施例を示す断面図である(角型電池の磁極片の巻回し)。
【図８】本考案に係る交互堆積式水電池の実施例を示す断面図である。
【図９】本考案に係る交互堆積式水電池の実施例を示す断面図である。
【考案を実施するための形態】
【００１２】
本考案は、電力を生成するために、交互に堆積して配列される正極素子、負極素子と水及び炭素物質とで化学反応を起こし、電池が環境保護に資するように無害となり、配列される層の数に応じて電流量が向上する效果を奏する。以下、本考案が使用する技術及び手段をより明確に開示するために、図面を参照しながら実施例をもとにより詳細な説明及び解説を行う。
【００１３】
図１は、本考案に係る交互堆積式水電池の実施例を示すブロック図である。水電池１は、少なくとも１つの正極素子１０、少なくとも１つの負極素子１２、水１４、炭素物質１６及びハウジング１８を含む。ハウジング１８は、水供給蓋１８０を更に含む。
【００１４】
正極素子１０と負極素子１２との間には炭素物質１６が充填されている。炭素物質１６は、化学反応に必要な素子としてだけでなく、断線が生じないように正極素子１０と負極素子１２との接触を阻止するのに用いられる。正極素子１０、負極素子１２及正極素子１０と負極素子１２との間に充填される炭素物質１６がプレスされた後ハウジング１８内に封入されると共に、水１４もハウジング１８内に注入される。これにより、水１４がハウジング１８内の空隙に浸透して、炭素物質１６及び正極素子１０、負極素子１２とで化学反応を起こして、電力が生成される。ハウジング１８には、化学反応によって消耗された水１４をハウジング１８内に補充するための水供給蓋１８０が設けられている。特筆すべきことは、本実施例では水１４をハウジング１８内に補充するが、他の実施例においては、例えばジュース、尿又はその他の液体をハウジング１８内に補充してもよいことである。従って、本実施例は、水１４の態様を制限するものではない。
【００１５】
本実施例において、正極素子１０と負極素子１２は、炭素物質１６に隔てられ、交互に堆積される方式で層をなして配列される。図２に示すように、図面における炭素物質１６(Ｃ)は、板状にプレスされた炭素片であり、或いは極めて細かく研磨された顆粒である。水１４及び炭素物質１６との化学作用によって、正極素子１０(＋)と負極素子１２(−)との間には電位差があるため、水電池１が電流を生成する。従って、正極素子１０と負極素子１２とが交互に堆積される数が多いほど、生成される電位差の総和も大きくなり、水電池１はより大きな電流量を生成することができるようになり、水電池１の容量及び使用可能時間も相対的に増加する。水電池１内に交互に堆積される正極素子１０及び負極素子１２の設置方式については、以下の各実施例の説明及び関連する図面を参照されたい。
【００１６】
注意すべきことは、正極素子１０(＋)と負極素子１２(−)との間の間隔は電位差に影響を及ぼし得ることである。例えば、正極素子１０(＋)と負極素子１２(−)との間の間隔が短い場合、その電位差は小さくなり、正極素子１０(＋)と負極素子１２(−)との間に設けられる炭素物質１６は厚さが薄くなる。一方、正極素子１０(＋)と負極素子１２(−)との間の間隔が長い場合、その電位差は大きくなり、正極素子１０(＋)と負極素子１２(−)との間に設けられる炭素物質１６は厚さが厚くなる。従って、当業者は、自由に構成することができるため、本実施例は、正極素子１０(＋)と負極素子１２(−)との間の間隔及び炭素物質１６の厚さの態様を制限するものではない。
【００１７】
図３は、本考案に係る交互堆積式水電池の実施例を示す断面図である。本実施例に係る水電池１ａは、角型のハウジング１８ａを備える。ハウジング１８ａには、水を補充するための水供給蓋１８０が更に含まれる。本実施例に係る水電池１ａは、一般的な移動体通信設備に使用される電池と同じ外観を有する。ハウジング１８ａ内には、複数の正極素子１０ａ、正極接続部材１１ａ、複数の負極素子１２ａ、負極接続部材１３ａ、水１４及び炭素物質１６が封入されている。各正極素子１０ａと各負極素子１２ａは、１つずつ交互に堆積されると共に、各正極素子１０ａと各負極素子１２ａとの間に炭素物質１６が充填されることによって隔てられる。炭素物質１６とハウジング１８ａ内に注入された水１４とが混合されることで化学作用が生じ、これにより電力が生成される。各正極素子１０ａの同一の一端は正極接続部材１１ａと一体成形で接続される。正極接続部材１１ａは、導通されるようにハウジング１８ａから延伸される。各負極素子１２ａの同一の一端も負極接続部材１３ａと一体成形で接続される。負極接続部材１３ａはハウジング１８ａから延伸される。こうして、図３に示すように、正極、負極が櫛状に交互に堆積されると共に、水１４及び炭素物質１６が充填されることで隔てられる。当然ながら、当業者であれば、若干の変更を施すことが可能である。例えば、ハウジング１８ａに最も近い負極素子１２ａがハウジング１８ａから延伸されるようにしてもよく、正極素子１０ａの状況も同様である。上述した交互に堆積される正極素子１０ａ、負極素子１２ａの数が多いほど、水電池１ａによって生成される電流量もそれに伴って増加する。
【００１８】
図４は、本考案に係る他の交互堆積式水電池の実施例を示す断面図である。本実施例において、水電池１ｂはボタン型電池である。水電池１ｂのハウジング１８ｂは、上蓋１８２、下ベース１８４及びシーリングリング１８６を含む。上蓋１８２が下ベース１８４の開口端内に設けられると共に、上蓋１８２が下ベース１８４に接触するのを阻止するようにシーリングリング１８６によって上蓋１８２と下ベース１８４の開口端との間の空隙が封鎖される。
【００１９】
また、本実施例における複数の正極素子１０ｂと複数の負極素子１２ｂは図３に示す実施例の方式と同様に交互に堆積されると共に、それら磁極素子の同一端においてそれぞれ正極接続部材１１ｂ及び負極接続部材１２ｂと一体成形で接続されるようにしてもよい。これにより、それら正極素子１０ｂと負極素子１２ｂとで生成された電位差の総和が得られ、水電池１ｂがより大きな電流量を生成することができるようになる。炭素物質１６は、ハウジング１８ｂにおいて各正極素子１０ｂと各負極素子１２ｂとの間を隔てると共に、注入された水１４と化学反応を起こす。また、本実施例において、複数の正極素子１０ｂに接続された正極接続部材１１ｂと下ベース１８４とは一体成形であり、或いは溶接技術によって両者が正確に一体に接合されるようにしてもよい。同様に、複数の負極素子１２ｂに接続された負極接続部材１３ｂと上蓋１８２とも溶接によって連結され、或いは一体成形の構成であるようにしてもよい。
【００２０】
図５Ａは、本考案に係る他の交互堆積式水電池の実施例を示す図である。本実施例に係る水電池１ｃのハウジング１８ｃは、一般的な円形乾電池と同じ外観である円形体である。ハウジング１８ｃ内には、少なくとも１つの正極素子１０ｃ及び負極素子１２ｃが封入され、正極素子１０ｃと負極素子１２ｃとの間に炭素物質１６が充填されることで隔てられると共に、炭素物質１６と水１４とによって化学作用が生じる。正極素子１０ｃと負極素子１２ｃとは平行に配列されて渦状に巻回されると共に、交互に配列される。従って、たとえ１つの正極素子１０ｃと１つの負極素子１２ｃしか使用しなかったとしても、渦状に巻回されて正極素子１０ｃと負極素子１２ｃとが層をなして交互に堆積される構造を形成しているため(図５Ｂに示す水電池１ｃの上面図を参照)、巻回される層の数が多いほど、相互に作用する正極素子１０ｃと負極素子１２ｃの範囲も広くなり、同様により大きな電流量を生成することができる効果を奏する。
【００２１】
本実施例において、正極に導電されるように、正極素子１０ｃの一端が渦状構造の中心からハウジング１８ｃの一端へと延伸され、負極に導電されるように、負極素子１２ｃの他端が渦状構造の中心からハウジング１８ｃの他端へと延伸される。また、必要に応じて、繰り返し使用することができるように、ハウジング１８ｃに水供給蓋１８２(図示せず)を設けてもよい。
【００２２】
巻回す方式で正極素子１０ｃと負極素子１２ｃとを交互に配列する手段は、円形水電池１ｃへの応用に限定されない。図６は、他の交互堆積式水電池の実施例を示す断面図である。本実施例に係る水電池１ｄも、前述した実施例に係る水電池１ａと同様に、角型電池である。但し、水電池１ａとの相違点は、水電池１ｄでは、水電池１ｃと同様の巻回し手段を使用しており、正極素子１０ｄと負極素子１２ｄとを炭素物質１６によって隔てつつ、螺旋状又は渦状に層をなして交互に配列される態様であり、更に角型のハウジング１８ｄ内に収容できる形状にプレスされていると共に、水１４と化学作用を起こして電力を生成する点にある。図３における水電池１ａと同一の部分については詳しい説明を省略する。
【００２３】
図７は、本考案に係る交互堆積式水電池の実施例を示す断面図である。巻回す方式で正極素子１０ｅと負極素子１２ｅとを交互に配列する手段は、図６に示す態様に限定されない。本実施例に係る水電池１ｅも、前述した実施例に係る水電池１ｄと同様に、角型電池である。但し、水電池１ｄとの相違点は、水電池１ｅでは、異なる巻回し手段を採用し、正極素子１０ｅと負極素子１２ｅとを炭素物質１６によって隔てつつ、S字状又はU字状に層をなして交互に配列される態様であり、更に角型のハウジング１８ｅ内に収容できる形状にプレスされていると共に、水１４と化学作用を起こして電力を生成する点にある。図６における水電池１ｄと同一の部分については詳しい説明を省略する。
【００２４】
図８は、本考案に係る交互堆積式水電池の実施例を示す断面図である。注意すべきことは、本実施例に係る水電池１ｆは、円形のハウジング１８ｆを備えることである。ハウジング１８ｆ内には、複数の正極素子１０ｆ、正極接続部材１１ｆ、複数の負極素子１２ｆ、負極接続部材１３ｆ、水１４及び炭素物質１６が封入されている。各正極素子１０ｆと各負極素子１２ｆは、１つずつ交互に堆積されると共に、各正極素子１０ｆと各負極素子１２ｆとの間に炭素物質１６が充填されることによって隔てられる。炭素物質１６とハウジング１８ｆ内に注入された水１４とが混合されることで化学作用が生じ電力が生成される。
【００２５】
各正極素子１０ｆの同一の一端が正極接続部材１１ｆと一体成形で接続される。正極接続部材１１ｆは、導通されるようにハウジング１８ｆから延伸される。各負極素子１２ｆの同一の一端が負極接続部材１３ｆと一体成形で接続される。負極接続部材１３ｆはハウジング１８ｆから延伸される。こうして、図８に示すように、正極、負極が交互に堆積されると共に、水１４及び炭素物質１６が充填されることで隔てられる。正極素子１０ｆは、ハウジング１８ｆ内の中央位置に設けられ、負極素子１２ｆは、これら正極素子１０ｆを囲繞する。
【００２６】
但し、当然ながら、当業者であれば、若干の変更を施すことが可能である。例えば、負極素子１２ｆがハウジング１８ｆ内の中央位置に設けられ、正極素子１０ｆがこれら負極素子１２ｆを囲繞するようにしてもよい。上述した交互に堆積される正極素子１０ｆ、負極素子１２ｆの数が多いほど、水電池１ｆによって生成される電流量もそれに伴って増加する。また、他の実施例において、水電池１ｆのハウジング１８ｆは、三角形、矩形、楕円形、多辺形のハウジング又は他の不規則形のハウジングであってもよい。但し、本実施例は、ハウジング１８ｆの態様を制限するものではない。また、これら正極素子１０ｆは傘状に正極接続部材１１ｆに接続され、負極接続部材１３ｆは、リング状にこれら負極素子１２ｆに接続されると共に、これら負極素子１２ｆとこれら正極素子１０ｆとを囲繞する。当業者は、正極素子１０ｆと負極素子１２ｆとの間の間隔の大きさを自由に構成することができる。
【００２７】
図９は、本考案に係る交互堆積式水電池の実施例を示す断面図である。本実施例に係る交互堆積式水電池１ｇは、前述した実施例に係る交互堆積式水電池１ｆと類似する。しかしながら、図９における交互堆積式水電池１ｇは、図８における交互堆積式水電池１ｆとの間で、依然として相違点が存在する。即ち、各正極素子１０ｇは複数の正極分岐片１０２ｇを含み、各負極素子１２ｇは、複数の負極分岐片１２２ｇを含む。また各負極分岐片１２２ｇはそれぞれ各正極分岐片１０２ｇと交互に堆積して配列される。炭素物質１６は、各正極分岐片１０２ｇが各負極分岐片１２２ｇに接触するのを阻止するように各正極分岐片１０２ｇと各負極分岐片１２２ｇとの間に充填される。
【００２８】
図９に示すように、分岐する構造が多いほど、相互に作用する正極分岐片１０２ｇと各負極分岐片１２２ｇの範囲も多くなり、同様により大きな電流量を生成する效果を奏する。但し、本実施例は、交互堆積式水電池１ｇの態様を制限するものではない。
【００２９】
以上の各実施例において述べた炭素物質１６は、活性炭であってもよく、比較的取得が容易でコストが安価な竹炭又は木炭であってもよい。また炭素物質１６は、正極素子１０と負極素子１２との間の介在層として板状に製作されてもよく、又は顆粒状(若しくは極めて細かく研磨された粉状)で正極素子１０と負極素子１２との間に投入されてもよい。また、上述した正極素子１０は、銀メッキ銅、白銀メッキ銅、白銅、白銑、鋼、白金又は純銅等の材質の金属によって製作されてもよい。一方、負極素子１２は、純アルミニウム又は金属マグネシウム材質などのものによって製作されてもよく、アルミニウムマグネシウム合金、マンガンマグネシウム合金又は亜鉛マグネシウム合金等のマグネシウム合金によって製作されてもよい。
【００３０】
上述した各実施例及び図面の説明からわかるように、本考案は、無害物質を採用し、材料コストが安価で、尚且つ大電流量を生成可能な交互堆積式水電池をすでに明確に開示している。本考案は少なくとも、従来の電池における有毒な残留物が生成され得る欠点を改善すると共に、電池の電流量供給能力を向上させると同時に、電池の生産コストを低減する効果を奏する。
【００３１】
本考案に係る交互堆積式水電池は、以下の効果を奏する。
第一に、本考案に係る交互堆積式水電池では、正極素子と負極素子とが順次積層される方式又は渦状に巻回される方式によって、正極素子、負極素子が１つずつ交互に配列される態様を形成しているため、水がハウジング内に注入されて炭素物質と混合されると、炭素物質によって隔てられた各正極素子、負極素子の間に電位差が生じ、これら電位差の総和は本考案の生成する電力である。正極素子、負極素子が交互に配列される層の数が多いほど、生成される電位差も大きくなり、供給可能な電流量もそれに正比例して増加する。そのため、本考案は、消費電力の大きな電子製品に適用することができ、従来の無害物質による電池における給電量が不足する問題を解消することが可能である。
【００３２】
第二に、本考案に係る交互堆積式水電池は、一般的な電池(例えば単３形ＡＡ電池、角型リチウム電池、又はボタン型電池)と同じ構成とすることが可能であり、電池を用いて給電する多くの市販製品に適用することができるため、有害物質を用いて製作される電池の使用量を大幅に低減することができると共に、使用者が水を補充できるように水供給蓋を設けることで繰り返し水電池の能力を使用することができることから、消費コストを低減することが可能である。
【００３３】
第三に、本考案に係る交互堆積式水電池では、水及び炭素物質によって化学作用を起こしており、水及び炭素物質はいずれも無害物質である。これにより、これら物質が完全に消耗された後に安全に補充されることができ、使い捨てる場合でも汚染問題を心配する必要がない。
【００３４】
第四に、本考案に係る交互堆積式水電池で使用する炭素物質は、一般的な竹炭又は木炭であってよく、高価な活性炭に限定されないため、製造過程又は補充過程が簡便となりコストを低減することができる。
【００３５】
上述した実施例によって列挙した各項目は、本考案を適用した態様の一部に過ぎず、本考案が適用される範囲を限定するものではない。本考案の趣旨に合致した又は本考案を実質的に変更するものではないその他の技術手段は、すべて本考案の範囲に含まれる。
【符号の説明】
【００３６】
１、１ａ〜１ｇ    水電池
１０、１０ａ〜１０ｇ    正極素子
１０２ｇ    正極分岐片
１１ａ〜１１ｂ、１１ｆ〜１１ｇ    正極接続部材
１２、１２ａ〜１２ｇ    負極素子
１２２ｇ    負極分岐片
１３ａ〜１３ｂ、１３ｆ〜１３ｇ    負極接続部材
１４    水
１６    炭素物質
１８、１８ａ〜１８ｇ    ハウジング
１８０    水供給蓋
１８２    上蓋
１８４    下ベース
１８６    シーリングリング
【図１】
0003189738.tif 000003
【図２】
0003189738.tif 000004
【図３】
0003189738.tif 000005
【図４】
0003189738.tif 000006
【図５Ａ】
0003189738.tif 000007
【図５Ｂ】
0003189738.tif 000008
【図６】
0003189738.tif 000009
【図７】
0003189738.tif 000010
【図８】
0003189738.tif 000011
【図９】
0003189738.tif 000012